(57)【特許請求の範囲】
【請求項１】
図柄表示体用の回転駆動手段を有する図柄表示ユニットを、矩形状の収容箱体内に収容セットして構成されるパチンコ遊技機の大型遊技装置において、
前記収容箱体の後面を覆う形状をなして該後面に当接する本体板と、前記本体板の上端縁から前記収容箱体の上面に当接しながら前方へ延出して該上面を覆う形状の上板と、前記本体板の下端縁から前記収容箱体の下面に当接しながら前方へ延出する下板とを備えた剛性を有する板枠状の金属部材を備え、
前記収容箱体に装着した前記金属部材の上板および下板で該収容箱体を上下から挟持すると共に、金属部材の上板の前端部および下板の前端部を収容箱体の前側に組付けられる透視表示体に固定して、透視表示体および金属部材の前記本体板で収容箱体を前後から挟持するよう構成した
ことを特徴とするパチンコ遊技機の大型遊技装置。
【請求項２】
前記上板の前端部から上方に折曲して設けられ、前記透視表示体の後側に当接して連結される当接片と、
前記下板の前端部から下方に折曲して設けられ、前記透視表示体の後側に当接して連結される当接片とを備えた請求項１記載のパチンコ遊技機の大型遊技装置。
【請求項３】
前記金属部材には、前記本体部の左右側端部から前方へ延出して、前記収容箱体を幅方向両側から挟持する位置決め片が設けられている請求項１または２記載のパチンコ遊技機の大型遊技装置。
【請求項４】
前記金属部材には、前記本体部の左右側端部から後方へ延出して、パチンコ遊技機制御用の制御基板が収容されて該金属部材に外側から装着される基板ケースを幅方向両側から挟持する位置決め片と、前記上板の左右側端部から上方へ延出して、前記基板ケースを幅方向両側から挟持する位置決め片とが設けられている請求項１〜３の何れか一項に記載のパチンコ遊技機の大型遊技装置。
【請求項５】
前記金属部材は、前記回転駆動手段と前記制御基板との間に位置する請求項４記載のパチンコ遊技機の大型遊技装置。
【請求項６】
前記収容箱体は、
前後に開放する角筒状を呈し、後端側へ開口した複数の前切欠を壁部に形成した前ケースと、
前記前ケースと同一外形寸法で前方に開放する箱状を呈し、前端側に開口した複数の後切欠を壁部に形成した後ケースとからなり、
前記前ケースの後側開口部から収容した前記各図柄表示ユニットにおける前記駆動基盤の突部を前記対応の前切欠に嵌合させたもとで、各ユニットの突部が前記対応の後切欠に嵌合するよう前ケースの後側に前記後ケースの前側を対向当接させることで、前記駆動基盤を内部に収容すると共に前記突部を前記各切欠から外部へ延出するよう構成した請求項１〜５の何れか一項に記載のパチンコ遊技機の大型遊技装置。
【発明の詳細な説明】
【０００１】
【発明の属する技術分野】
この発明は、パチンコ遊技機の大型遊技装置に関し、更に詳しくは、例えば遊技盤の遊技領域内でパチンコゲームを展開し得るパチンコ遊技機において、図柄表示体用の回転駆動手段を有する図柄表示ユニットを収容箱体内に収容セットして構成される大型遊技装置に関するものである。
【０００２】
【従来の技術】
この種の遊技機の代表例として、従来から知られているパチンコ機において、遊技中に発生される毎回の始動および停止を含む変動制御条件に基づいて図柄組合わせゲームを展開して、特別遊技状態に係る権利とされる組合わせ入賞条件を成立表示することのできる大型遊技装置として、ドラム形式やベルト形式と称されている各種の図柄可変表示装置が採用されている。このうち、例えばドラム形式の図柄可変表示装置では、対象のパチンコ機によってサイズや変動制御条件等に差異があっても、その基本的な形態として、図柄表示体として合成樹脂成形された平プーリ形の図柄ドラム(ドラムの素地である回転体の外周に色彩区分された、例えば数字、アルファベット文字、その他の図形やマーク等の各種多様な識別用の図柄を配置したもの)と、該図柄ドラムの回転駆動手段(一般にステッピングモータ)と、停止表示される各図柄用の位置決め検出手段および照明手段等を含めて１基毎に図柄表示ユニット化される。そして、この図柄表示ユニットが、１つの収容箱体(ドラムケース)内に複数基(通常では左列、中列、右列の３基)を組単位として縦列セットされている。
【０００３】
前記図柄可変表示装置のドラムケースには、夫々の図柄表示ユニットに係る所要の入出力制御をなし得る各種電子部品を実装した表示制御基板を備える表示制御装置が配設され、パチンコゲーム中に発生した始動信号入力条件により、表示制御装置から発生される制御出力に基いて、各列の図柄表示ユニットの図柄ドラムが設定時間条件で回転・停止されて、各図柄を遊技盤前面の入賞ライン上に表示するよう構成される。
【０００４】
【発明が解決しようとする課題】
ところで、前記図柄可変表示装置における各列の図柄表示ユニットでは、図柄ドラムを回転させる前記回転駆動手段の駆動時に該駆動手段からノイズが発生することがあり、このノイズが前記表示制御基板の電子部品(ＣＰＵやＩＣ等)に悪影響を及ぼして該制御基板の誤作動を招来することがある。しかるに従来の図柄可変表示装置では、前記表示制御基板に対するノイズ対策は、殆ど考慮されていなかった。また前記ドラムケースは、一般的に前方へ開口した箱体状の合成樹脂成形品とされるが、回転駆動手段や各種部品を前記各図柄表示ユニットの重量や、該回転駆動手段の駆動時に発生する振動等に耐え得るに充分な強度を具有しない場合には、変形や破損が発生する等の不都合もあった。なお、前記ドラムケースの肉厚を大きくしたり、該ケースの適所にリブ等を形成配置するようにすれば、該ドラムケースの強度アップを図ることは可能であるが、前述したノイズ対策には何等の効果を発揮し得ないうえに、材料費や金型製作費が嵩んでコストアップを招来すると共に、ケース自体の大型化と重量化が新たな問題となってしまう。
【０００５】
【発明の目的】
本発明は、前述した従来の技術に内在している前記課題に鑑み、これを好適に解決するべく提案されたものであって、図柄表示ユニットを収容した収容箱体の外側に板枠状の金属部材を配設することで、該収容箱体の補強と、この収容箱体の裏側に装着される制御基板に対するノイズ対策とを図り得るようにしたパチンコ遊技機の大型遊技装置を提供することを目的とする。
【０００６】
【課題を解決するための手段】
前述した課題を克服し、所期の目的を好適に達成するため、本発明に係るパチンコ遊技機の大型遊技装置は、図柄表示体(33)用の回転駆動手段(32)を有する図柄表示ユニット(U)を、矩形状の収容箱体(21)内に収容セットして構成されるパチンコ遊技機の大型遊技装置において、
前記収容箱体(21)の後面を覆う形状をなして該後面に当接する本体板(37)と、前記本体板(37)の上端縁から前記収容箱体(21)の上面に当接しながら前方へ延出して該上面を覆う形状の上板(38)と、前記本体板(37)の下端縁から前記収容箱体(21)の下面に当接しながら前方へ延出する下板(39)とを備えた剛性を有する板枠状の金属部材(22)を備え、
前記収容箱体(21)に装着した前記金属部材(22)の上板(38)および下板(39)で該収容箱体(21)を上下から挟持すると共に、金属部材(22)の上板(38)の前端部および下板(39)の前端部を収容箱体(21)の前側に組付けられる透視表示体(20)に固定して、透視表示体(20)および金属部材(22)の前記本体板(37)で収容箱体(21)を前後から挟持するよう構成したことを特徴とする。
【０００７】
【作用】
収容箱体は、本体板、上板および下板から構成された金属部材で該収容箱体を上下から挟持すると共に、該金属部材の上板の前端部および下板の前端部を収容箱体の前側に組付けられる透視表示体に固定して、透視表示体および金属部材の前記本体板で収容箱体を前後から挟持することで補強されており、内部に収容した図柄表示ユニットの重みや、該ユニットの回転駆動手段の駆動時に発生する振動等による変形および破損が防止される。この金属部材には、収容箱体に対する位置決め片が形成されており、該収容箱体に対する簡単かつ容易な位置決めが図られる。しかも金属部材は、収容箱体の背面側に配設される制御基板と前記回転駆動手段との間に位置しており、該回転駆動手段を発生源とするノイズから前記制御基板を遮蔽する。そして制御基板を収容した基板ケースは、金属部材に形成した位置決め片により、該金属部材に対する簡単かつ確実な位置決めが図られる。
【０００８】
【発明の実施の形態】
次に、本発明に係る遊技機の大型役物について、好適な実施例を挙げて添付図面を参照しながら以下詳細に説明する。なお、本実施例に係る大型役物としては、ドラム式の図柄可変表示装置(単に図柄装置とも略称する)を例に挙げて、パチンコ機に配設されるものとして説明する。
【０００９】
(パチンコ機)
そこで、先ず本実施例の図柄可変表示装置が実施されるパチンコ機について、図２および図３を参照して要約説明する。本実施例のパチンコ機Ｐは、その基本的な概略構成として、外枠Ａの開口前面側に対して前枠Ｂが、連結支持手段および施錠手段を利用して着脱および開放可能に組付けられている。そして前枠Ｂの内外部分に、横開き式のガラス扉Ｄを組付けた窓枠Ｃと、ガラス扉Ｄの下部において窓枠Ｃに対して着脱および開放可能に組付けられる開閉セット板の前側にセットされた上球皿Ｅおよび後側にセットされた電動式の球送り装置(図示せず)と、下段に位置する下球皿Ｆおよび打球発射装置Ｈと、後側に位置する機構セット盤Ｇ等が夫々装備されている一方、前枠Ｂ後側の収容枠体の正面内部に所要の遊技領域Ｉを構成した遊技盤Ｊが着脱交換可能にセットされる。
【００１０】
(遊技盤)
前記遊技盤Ｊは、図４に示すように、略円形状に湾曲形成したレール１０により囲まれた遊技領域Ｉの前側において、縦央やや下部に配設されてセーフ球をスイッチで検出し得る始動入賞具１１と、この始動入賞具１１の直上方に配置された後述の図柄可変表示装置Ｋと、風車とも称されて遊技球用の流下方向を任意に変向する電飾案内車１２および普通案内車１３と、始動入賞具１１の直下方に設置された前記大型電動式の入賞装置Ｌと、遊技状態に応じて照射パターンが変更制御される電飾装置１４等を備えている。また遊技盤Ｊの後側には、図３に示すように、セーフ球を機構セット盤Ｇ側に通出案内させるセーフ球案内部材１５が装着されている。そして、このセーフ球案内部材１５には、該案内部材１５に開設した透視窓部１５ａの後側に合わせて図柄可変表示装置Ｋが装備セットされる。なお、図４中の符号１６はアウト口を示す。
【００１１】
前記始動入賞具１１内に配設された図示しないスイッチは、各セーフ球の検出毎に図柄可変表示装置Ｋを１回ずつ作動スタートさせるための始動入力手段として利用される。また前記入賞装置Ｌは、図柄可変表示装置Ｋの大当り成立時に対する特別遊技状態として、開成作動条件が付与される大型の入賞装置であって、図４に示されるように、特別入賞口１７に対設された扉状の開閉板１８が、後側の電磁ソレノイドに係る設定駆動条件に基づいて、通常の閉鎖状態から開放状態に変化されるようになっている。そして、特別入賞口１７の後側内部にセーフ球用のカウントスイッチと、開放作動継続用の特別スイッチ(Ｖスイッチ)が組込まれている(何れも図示せず)。なお、入賞装置Ｌの左右両側に普通入賞口１９,１９が設けられている。
【００１２】
(図柄可変表示装置)
実施例に係るドラム式の図柄可変表示装置Ｋは、前記遊技盤Ｊの後側にセットされるセーフ球案内部材１５に装備される前提にあって、基本的な構成として図１に示すように、セーフ球案内部材１５の後面側に装着セットされる透視表示体２０と、この透視表示体２０の後面側に装着される収容箱体２１内に縦列収容セットされる複数基(図示３基)の図柄表示ユニットＵと、収納箱体２１に対して後面側から装着されて透視表示体２０との間で該収容箱体２１を挟持する金属枠(金属部材)２２と、夫々の図柄表示ユニットＵに係る所要の入出力制御をなし得る表示制御装置(制御装置)Ｍとを備えて構成されている。そして、パチンコゲーム中に発生した始動信号入力条件により、表示制御装置Ｍから発生される制御出力に基いて、各列の図柄表示ユニットＵの図柄ドラム３３(後述)が設定時間条件で回転・停止されて、各図柄を遊技盤Ｊの前面の入賞ライン上に表示し得るようになっている。
【００１３】
そこで、実施例の図柄可変表示装置Ｋにおける前記各構成部材毎について説明する。
【００１４】
(透視表示体について)
前記透視表示体２０は、装置自体の前位置決め部材としても機能するものであって、図１に示すように、透明合成樹脂材により後側に開放する箱蓋形に形成されると共に、その中央部には、前向きの凸円弧形に膨出するレンズ兼用の透視部２３が形成されており、この透視部２３に左、中、右の３列の表示窓２４が区画形成されている。また透視表示体２０の左右の側縁部には、ピン孔２５ａを有する連結支片２５が夫々形成され、各連結支片２５には施錠具２６(図３参照)が予め装着されている。なお、前記セーフ球案内部材１５には、前記透視窓口１５ａの左右両側に、後方に突出するピン２７ａおよび連結孔２７ｂを形成した支持部２７が夫々形成されており、透視表示体２０の各連結支片２５のピン孔２５ａに対応するピン２７ａを嵌挿したもとで、施錠具２６を対応する連結孔２７ｂに係着することで、透視表示体２０はセーフ球案内部材１５に連結状態で施錠されるようになっている。
【００１５】
また、前記透視表示体２０の上下内周面の所要位置に複数のボス２８が形成され、各ボス２８には後側に開放するネジ孔２８ａが形成される。そして、該ネジ孔２８ａに螺挿されるネジ(図示せず)を介して、前記金属枠２２が透視表示体２０に位置決め固定されるよう構成される。
【００１６】
(収容箱体について)
前記収容箱体２１は、図８および図９に示す如く、前後に開放する角筒状の前ケース２９と、該前ケース２９と同一外形寸法で前方に開放する箱状の後ケース３０とからなり、前ケース２９の後端と後ケース３０の前端とを対向当接することで、前記３基の図柄表示ユニットＵを収容セットするための前方に開放する収容室が内部画成される。そして、前ケース２９の前部を、前記透視表示体２０の後面側に嵌合位置決めすることで(図７参照)、前開口部が前記透視部２３に整合されるようになっている。
【００１７】
前記前ケース２９の下枠材２９ａにおける後端部には、幅方向に離間して３つの前切欠２９ｂが後側に開放するよう形成される。また後ケース３０の下枠材３０ａにおける前端部には、前ケース２９の各前切欠２９ｂと対応する位置に、前側に開放する後切欠３０ｂが夫々形成され、前後のケース２９,３０を対向当接した状態で、両切欠２９ｂ,３０ｂにより逃し口が下方に開口するよう構成される(図７参照)。
【００１８】
(図柄表示ユニット)
前記各図柄表示ユニットＵは、図８および図９に示す如く、矩形状の駆動基盤３１と、この基盤３１中央部に装着されたステッピングモータ(回転駆動手段)３２で回転制御される図柄表示体としての図柄ドラム３３等から構成されている。また各駆動基盤３１の下端後部に、下方に突出する位置決め突片３４が形成され、該突片３４のモータ装着面側に、コネクタ３５が接続口３５ａを側方に向く横向き(駆動基盤３１に対する直交する向き)とした姿勢で配設されている。そして各図柄表示ユニットＵは、位置決め突片３４が前記収容箱体２１における前後のケース２９,３０の切欠２９ｂ,３０ｂに嵌挿されたもとで、収容室内において各図柄表示ユニットＵが互いに等間隔で整列保持される。なお、収容箱体２１の逃し口から下方に突出する位置決め突片３４に配設されるコネクタ３５は、前記表示制御装置Ｍのコネクタ５２(後述)に対してハーネス３６を介して接続できるようになっている。
【００１９】
(金属枠について)
前記金属枠２２は、図８および図９に示す如く、矩形状に形成された本体板(板部)３７の上端部に、前方に向けて水平に延出する上板(板部)３８が形成されると共に、本体板３７の下端部には、幅方向に離間して複数(実施例では３枚)の下板(板部)３９が前方に向けて水平に延出するよう形成され、適宜の外力が付与されても容易に変形しない程度の剛性を有している。そして、前記収容箱体２１に対して金属枠２２は、収容箱体２１における後ケース３０の後面に本体板３７を対向当接し、前ケース２９および後ケース３０の上面に上板３８を沿設すると共に、前ケース２９と後ケース３０の下面に下板３９を沿設するようになり、これら本体板３７と上板３８および下板３９とで前後のケース２９,３０を後および上下から挟持して囲繞する状態で装着される。なお、各下板３９は、収容箱体２１の下面に形成される各逃し口から下方に突出するコネクタ３５とは干渉しない位置に設けられる。
【００２０】
前記上板３８の前端部には、幅方向に離間して複数(実施例では２つ)の当接片３８ａが上方に向けて略直角に折曲形成されると共に、前記各下板３９の前端部には、下方に向けて当接片３９ａが略直角に折曲形成されており、各当接片３８ａ,３９ａは、前記収容箱体２１に金属枠２２を装着した状態で、前記透視表示体２０に形成された対応のボス２８の後端に当接するよう設定される。また上下に位置する各当接片３８ａ,３９ａにはスリット３８ｂ,３９ｂが形成され、各スリット３８ｂ,３９ｂに後側から挿通されたネジを対応のネジ孔２８ａに螺挿することで、当該金属枠２２が透視表示体２０に位置決め固定される。すなわち、前記前後のケース２９,３０に分割されている収容箱体２１は、透視表示体２０と金属枠２２とにより前後から挟持された状態で位置決めされている。これにより収容箱体２１に収容セットされた前記各図柄表示ユニットＵの重量および表示制御装置Ｍの重量は、前記透視表示体２０および金属枠２２に加わるようになり、該収容箱体２１自体にはこれらの重量が加わらないので変形や破損等が発生することはない。
【００２１】
前記上板３８における左右の側端部には、上方に向けて略直角に折曲された支持片(位置決め片)４０が夫々形成される。また、本体板３７の左右の両側端部における一方の対角近傍に、後方に延出するＴ字状の第１位置決め片(位置決め片)４１が夫々形成されると共に、他方の対角近傍には後方に延出する第２位置決め片(位置決め片)４２が夫々形成される。そして、これら４つの位置決め片４１,４１,４２,４２および前記一対の支持片４０,４０により、前記表示制御装置Ｍの位置決めおよび該制御装置Ｍの好適な支持が図られるように構成される。更に、上板３８の前端部には、前記両当接片３８ａ,３８ａの間に、ネジ孔４３ａが形成された取付片４３が上方に向けて所要長さで延在するよう略直角に折曲形成され、該取付片４３を介して表示制御装置Ｍがネジ止めされるようになっている(図６参照)。一方、本体板３７における左右の側端部には、前記収容箱体２１における後ケース３０の位置決めを図ると共に該ケース３０を幅方向両側から挟持する挟持片(位置決め片)３７ａが夫々形成されている。
【００２２】
(表示制御装置)
前記表示制御装置Ｍは、前記図柄表示ユニットＵに関する各種電子部品が実装される表示制御基板(制御基板)４４と、該基板４４を収容する基板ケース４５とから基本的に構成される。表示制御基板４４は、図１０および図１１に示す如く、前記収容箱体２１の上面側に位置する第１基板部４６と、収容箱体２１の後面側に位置する第２基板部４７とから構成され、全体としてＬ字型を呈している。所要の回路パターンが形成された第１基板部４６には、大型であったり、重量が大きかったり、発熱あるいはノイズの発生原因となる、放熱板を備えたトランスやレギュレータ等の電源部品４８やコンデンサ４９等の大型部品(電子部品)が実装される。また第１基板部４６の四隅には、後述する第１ケース体５４に突設したボス５７に対応する通孔４６ａが夫々形成されている。
【００２３】
これに対して所要の回路パターンが形成された第２基板部４７には、小型部品(電子部品)であるＣＰＵ５０やＩＣ５１等が実装され、表示制御装置自体の前後方向の厚み寸法を小さくし得るよう構成される(図５,図７参照)。また第２基板部４７の後面(配設面)には、前記各図柄表示ユニットＵに対するコネクタ５２が、その接続口５２ａを下向きとした姿勢(接続口が制御基板の配設面に沿う方向に向けて開口する姿勢)で下端部に配設されると共に、該第２基板部４７の左側部(図１０において)には、図示しない主制御装置に対するコネクタ５３が、その接続口５３ａを側方に向けた姿勢(接続口が制御基板の配設面に沿う方向に向けて開口する姿勢)で配設してある。なお、第２基板部４７の四隅に、後述する第２ケース体５５に突設したボス６２に対応する通孔４７ａが夫々形成されている。
【００２４】
前記表示制御基板４４が収容される基板ケース４５は、透明合成樹脂材によりＬ字型に形成された第１ケース体５４と、同じく透明合成樹脂材により該第１ケース体５４と整合し得るＬ字型の箱枠形に形成された第２ケース体５５とから構成され、両ケース体５４,５５を組付けることにより内部画成された収容室５６に、表示制御基板４４が収容されるようになっている(図７参照)。
【００２５】
前記第１ケース体５４の水平な上板５４ａの上面には、ネジ孔５７ａを形成したボス５７が四隅に突設され、前記表示制御基板４４の第１基板部４６は、前記各通孔４６ａを対応するボス５７と一致させた状態で載置され、図示しないネジを上方からネジ孔５７ａに螺挿することでネジ止めされる。また第１ケース体５４の垂直な本体板５４ｂの後面には、ネジ孔５８ａを形成したボス５８が四隅に突設され、前記表示制御基板４４の第２基板部４７は、前記各通孔４７ａを対応するボス５８と一致させた状態で位置決めされ、図示しないネジを第２ケース体５５の後方からネジ孔５８ａに螺挿することでネジ止めされる。
【００２６】
なお、前記第１ケース体５４における上板５４ａの前端部(基板ケースの上部)には、所定高さで上方に立上がる立上がり壁５９が形成され、該壁５９には多数個の放熱孔５９ａが形成されている。また、立上がり壁５９の幅方向の略中央に、所定長さの凹部５９ｂが形成されると共に、該壁５９の後面には、幅方向に離間して一対の位置決め用の突起６０,６０が形成されている。
【００２７】
前記第２ケース体５５は、前述したようにＬ字型の箱枠形に形成されたものであって、略水平な上板５５ａの前端部に、上方に向けて所定高さで立上がる立上がり壁６１が形成される。この立上がり壁６１には、前方に突出する所定幅寸法の凸部６１ａが形成され、該凸部６１ａを前記第１ケース体５４の立上がり壁５９における凹部５９ｂに嵌合して位置決めするよう構成される。また立上がり壁６１の幅方向略中央に通孔６１ｂが形成され、図６に示す如く、該通孔６１ｂに後方から挿通したネジ６６を、前記金属枠２２の取付片４３のネジ孔４３ａに螺挿することで、当該の表示制御装置Ｍが金属枠２２、すなわち収容箱体２１の後側に配設固定されるようになっている。なお、上板５５ａの幅方向両端縁から垂下する上部側板５５ｂ,５５ｂは、第２ケース体５５を第１ケース体５４に組付けた状態で、その内面が第１ケース体５４の突起６０,６０に当接することで位置決めされる。
【００２８】
前記第２ケース体５５の垂直な本体板５５ｃの前面には、前記第１ケース体５４に位置決めされた第２基板部４７の各通孔４７ａと対応する位置に、所定長さのボス６２が夫々突設され、該ボス６２が第２基板部４７に当接している。またボス６２には通孔６２ａが形成され、該通孔６２ａに後側から挿通したネジを、前記第１ケース体５４のボス５８に形成したネジ孔５８ａに螺挿することで、当該の第２ケース体５５は第１ケース体５４に配設固定される。なお、第２ケース体５５における本体板５５ｃの上部に、多数個の放熱孔５５ｄが形成されている。
【００２９】
前記第２ケース体５５の下部には、図７および図１２に示す如く、前記第２基板部４７に配設された各図柄表示ユニットＵに対する各コネクタ５２と対応する位置に、該コネクタ５２の裏面側を覆って下方に開口する下保護凹部６３が夫々形成される。また同様に第２ケース体５５の左側部には、第２基板部４７に配設された主制御装置に対するコネクタ５３と対応する位置に、該コネクタ５３の裏面側を覆って側方に開口する側保護凹部６４が形成されている。
【００３０】
前記第２ケース体５５における本体板５５ｃの幅方向両端縁から前方に延出する下部側板５５ｅ,５５ｅの外面には、前記金属枠２２に形成されたＴ字形の各第１位置決め片４１と対応する位置に、上下に離間する一対の爪片６５,６５が突設され、両爪片６５,６５の間に第１位置決め片４１が係合することで、金属枠２２に対する表示制御装置Ｍの確実な位置決めが行なわれる。
【００３１】
【実施例の作用】
次に、実施例に係る図柄可変表示装置の作用につき説明する。前記図柄装置Ｋでは、前記透視表示体２０の後面側に、収容箱体２１の前ケース２９を嵌合位置決めし、この前ケース２９に対して各図柄表示ユニットＵを、駆動基盤３１の位置決め突片３４が前切欠２９ｂに嵌挿される状態で組付けセットする。３基の図柄表示ユニットＵが組付けられた前ケース２９に対し、前記後ケース３０を、各後切欠３０ｂに対応する駆動基盤３１の位置決め突片３４を嵌挿した状態でセットする。これにより、３基の図柄表示ユニットＵは、前後のケース２９,３０により画成される収容室内に位置決め状態で収容される(図７参照)。このとき、各図柄表示ユニットＵの図柄ドラム３３は、透視表示体２０における各対応の表示窓２４に臨んでいる。また、位置決め突片３４に配設されているコネクタ３５は、収容箱体２１の後部側の下方において、側方に接続口３５ａを向けた姿勢で臨む。
【００３２】
前記収容箱体２１に対し、前記金属枠２２を後側から装着し、上下の当接片３８ａ,３９ａのスリット３８ｂ,３９ｂに後側から挿通したネジを、前記透視表示体２０の対応するネジ孔２８ａ,２８ａに螺挿することで、収容箱体２１は透視表示体２０と金属枠２２の本体板３７とで前後から挟持され、かつ該金属枠２２の上板３８および下板３９とで上下から挟持された状態で位置決めされる。これにより収容箱体２１は、前記透視表示体２０および金属枠２２により囲繞された状態で固定される。なお、金属枠２２の幅方に離間する一対の挟持片３７ａ,３７ａが、後ケース３０の幅方向両側面に当接することで、収容箱体２１の後ケース３０に対する該金属枠２２の幅方向の位置決めがなされる。
【００３３】
前記表示制御装置Ｍに関しては、前記基板ケース４５における第１ケース体５４の上板５４ａに、トランスやレギュレータ等の電源部品４８やコンデンサ４９等の大型部品が実装されている第１基板部４６をネジ止め固定する。また、本体板５４ｂに対してＣＰＵ５０、ＩＣ５１およびコネクタ５２,５３等の小型部品が実装されている第２基板部４７を位置決めしたもとで、第１ケース体５４に対して第２ケース体５５を、前記凹部５９ｂや突起６０に対して対応する凸部６１ａや上部側板５５ｂを係合当接することで位置決めした状態で組付ける。そして、第２ケース体５５の本体板５５ｃに形成した各通孔６２ａに後側から挿通したネジを、第１ケース体５４の対応するネジ孔５８ａに螺挿することで、第１基板部４６と第２基板部４７とからなる表示制御基板４４を収容した状態で両ケース体５４,５５が組付け固定される。なお、第２基板部４７は、第１ケース体５４のボス５８と第２ケース体５５のボス６２とで四隅が前後から挟持された状態で位置決めされる。また、前記第２基板部４７に配設されている各コネクタ５２,５３は、第２ケース体５５に設けられている対応する保護凹部６３,６４により接続口５２ａ,５３ａを除く部分が覆われる(図７参照)。
【００３４】
前述したように組立てられた表示制御装置Ｍは、図７に示す如く、第１ケース体５４の上板５４ａを金属枠２２の上板３８に載置すると共に、第１ケース５４の本体板５４ｂを金属枠２２の本体板３７の後面に当接した状態で位置決め載置される。このとき、基板ケース４５の幅方向の両側部(上部側板５５ｂや下部側板５５ｅ)が、金属枠２２の前記支持片４０,４０や第２位置決め片４２,４２で挟持される。また金属枠２２の各第１位置決め片４１が、基板ケース４５の爪片６５,６５に係合し、金属枠２２に対して表示制御装置Ｍは確実に位置決めされる。そして、前記第２ケース体５５に形成した通孔６１ｂに後側から挿通したネジ６６を、前記金属枠２２の取付片４３に形成したネジ孔４３ａに螺挿することで、当該の表示制御装置Ｍは金属枠２２、すなわち収容箱体２１の後側に配設固定される。
【００３５】
前記表示制御装置Ｍにおいては、前記各図柄表示ユニットＵのコネクタ３５と、前記第２基板部４７の対応するコネクタ５２とがハーネス３６を介して夫々接続される。
【００３６】
このようにして組立てられた図柄可変表示装置Ｋは、前記透視表示体２０の各連結支片２５に形成されたピン孔２５ａに、前記セーフ球案内部材１５の各支持部２７に形成されたピン２７ａを嵌挿することで位置決めセットしたもとで、各施錠具２６を対応する連結孔２７ｂに係着することで、透視表示体２０はセーフ球案内部材１５の後側に連結状態で施錠される。このとき、透視表示体２０の透視部２３がセーフ球案内部材１５の透視窓口１５ａから前面側に臨む。また前記表示制御装置Ｍの第２基板部４７に配設されたコネクタ５３は、図示しない主制御装置にハーネスを介して接続される。
【００３７】
前述したように、実施例に係る図柄可変表示装置Ｋでは、各図柄表示ユニットＵを電気的に制御する表示制御装置Ｍの表示制御基板４４を２枚に分割し、前記収容箱体２１の上面側に対向位置する第１基板部４６には電子部品として大型の部品を実装し、収容箱体２１の後面側に対向位置する第２基板部４７には電子部品として小型の部品を実装した。これにより、表示制御装置Ｍにおける収容箱体２１の後面側に臨む部分の前後方向の厚み寸法を小さくすることができ、図柄可変表示装置Ｋを装備したパチンコ機Ｐを遊技店内の島に設置した際に、後側への突出量を小さくすることができる。すなわち、表示制御装置Ｍの厚みを薄くした分だけ、図柄表示ユニットＵの図柄ドラム３３を大型化しても、島内で対向する図柄可変表示装置Ｋ,Ｋ同士が干渉することはない。従って、図柄ドラム３３の大型化により迫力のある図柄表示が可能となり、ゲーム全体の興趣を高めると共に、パチンコ機全体のグレードアップをも図り得る。
【００３８】
また表示制御装置Ｍでは、収容箱体２１の上面側に臨む第１基板部４６に、重量のある大型部品を実装したので、該表示制御装置Ｍを収容箱体２１(金属枠２２)に装着した際の安定性に優れ、実施例のように１本のネジにより確実かつ安定的に固定することができる。なお、第１基板部４６に実装される大型部品は、発熱やノイズを発生するが、これらの部品は第２基板部４７に実装されるＣＰＵ５０やＩＣ５１とは離間しているので、該ＣＰＵ５０やＩＣ５１に対する熱やノイズの影響を低減することができる。しかも、基板ケース４５の上部には多数の放熱孔５５ｄ,５９ａが形成してあるので、上部に配設されている大型部品から発する熱は効率的に外部に逃げ、ケース内にこもることはない。
【００３９】
前記第２基板部４７に配設されるコネクタ５２,５３の配設姿勢を、その接続口５２ａ,５３ａが、該基板部４７の配設面(制御基板の配設面)に沿う方向に向けて開口するよう設定したので、これによっても表示制御装置Ｍにおける収容箱体２１の後面側に臨む部分の前後厚みを小さくすることができる。また、各図柄表示ユニットＵのコネクタ３５が収容箱体２１の後部下方に臨むと共に、表示制御装置Ｍの対応するコネクタ５２が第２基板部４７の下部に配設されるので、両コネクタ３５,５２を接続するハーネス３６を短かくすることができる。すなわち、材料費を低減し得ると共に、ハーネス３６が長くなることに起因するノイズからの影響を抑制することができる。
【００４０】
また実施例の図柄可変表示装置Ｋでは、前記第２基板部４７に配設されるコネクタ５２を下向きにすると共に、第２ケース体５５で保護するよう構成したので、パチンコ機Ｐが設置される島内において該パチンコ機Ｐの後側を落下するパチンコ球が、コネクタ５２に衝突して破損させたりショートの原因となるのを未然に防止することができる。更に、コネクタ５２に対してハーネス３６を下方から接続することとなるから、該ハーネス３６も第２基板部４７の配設面から後方に突出することはなく、ハーネス３６にパチンコ球が衝突するのも防止し得る。
【００４１】
そして、このように構成された実施例の図柄可変表示装置Ｋでは、前記透視表示体２０と金属枠２２とにより収容箱体２１が囲繞された状態に保持されるので、該収容箱体２１内に収容セットした各図柄表示ユニットＵの重量が金属枠２２に加わるようになり、該ユニットＵの重みによる収容箱体２１の変形や破損等が好適に防止される。また、金属枠２２の背面側に装着される表示制御装置Ｍの重量も前記金属枠２２に加わり、前記収容箱体２１には全く加わらないから、該表示制御装置Ｍの重みによる該収容箱体２１の変形や破損等も好適に防止される。
【００４２】
また金属枠２２は、収容箱体２１内に収容セットした各図柄表示ユニットＵと前記表示制御装置Ｍとの間に配設されているので、該図柄表示ユニットＵのステッピングモータ３２の駆動時に該モータから発生するノイズを好適に遮蔽し、このノイズが前記表示制御装置Ｍの第１基板部４６および第２基板部４７の電源部品４８、コンデンサ４９、ＣＰＵ５０およびＩＣ５１等に悪影響を及ぼすことが好適に回避される。
【００４３】
一方、金属枠２２には、収容箱体２１の後ケース３０に対する位置決め用の挟持片３７ａ,３７ａを形成してあるので、収容箱体２１に対する位置決めおよび装着を簡単かつ確実に行ない得る。更に、金属枠２２には、表示制御装置Ｍに対する位置決め用の支持片４０や第１位置決め片４１および第２位置決め片４２を形成してあるので、該金属枠２２に対する表示制御装置Ｍの位置決めおよび装着も簡単かつ確実に行なうことができる。これにより実施例の図柄可変表示装置Ｋは、収容箱体２１に対する金属枠２２の位置決めと、該金属枠２２に対する表示制御装置Ｍの位置決めが、簡単かつ確実に行ない得る。
【００４４】
【変更例】
本発明の対象とする大型役物としての図柄可変表示装置については、図示しないが、前述した図柄ドラムを用いた形態の他に図柄ベルト(表示手段)を用いる形態の図柄可変表示装置にも好適に実施し得る。また実施例では、パチンコ球を用いた遊技機につき説明したが、コインを用いたスロットマシン等にも採用可能である。
【００４５】
前述した実施例では、表示制御基板を２枚に分割した場合で説明したが、１枚の基板を折曲形成したものであってもよい。また基板を構成する複数の基板部は、収容箱体の上面と後面に対向位置させる他に、上面と一方の側面、後面と一方の側面、あるいは上面と両側面や後面と両側面とに対向位置させる構成とすることができる。更に、基板ケースに設けられる放熱孔に関しては、第２ケース体の上板や上部側板等に設けてもよい。なお、前記収容箱体としては２つに分割した場合で説明したが、前後方向に開放する１つの箱体であってもよい。
【００４６】
【発明の効果】
以上説明した如く、本発明に係るパチンコ遊技機の大型遊技装置では、収容箱体が、本体板、上板および下板から構成された金属部材によって上下から挟持されると共に、該金属部材の上板の前端部および下板の前端部を収容箱体の前側に組付けられる透視表示体に固定して、透視表示体および金属部材の前記本体板で収容箱体を前後から挟持された状態に保持されるので、該収容箱体内に収容セットした図柄表示ユニットの重量が該金属枠に加わり、収容箱体の変形や破損等が好適に防止される利点がある。しかも金属部材には、収容箱体に対する位置決め片を形成してあるので、収容箱体に対する位置決めが簡単かつ確実になし得る。また金属部材は、収容箱体内に収容セットした図柄表示ユニットと、該箱体の背面側に配設される制御基板との間に位置しているので、該図柄表示ユニットの回転駆動手段の駆動時に発生するノイズを好適に遮蔽し、該制御基板の電子部品に悪影響を及ぼすことも好適に回避される。更に金属部材には、制御基板の基板ケースに対する位置決め片を形成してあるので、該金属部材に対する基板ケースの位置決めおよび装着も簡単かつ確実に行ない得る等の効果をも奏する。
【図面の簡単な説明】
【図１】本発明の実施例に係る図柄可変表示装置を分解した状態で後側から視た概略斜視図である。
【図２】実施例に係る図柄可変表示装置が装備されるパチンコ機の全体を示す正面図である。
【図３】実施例に係る図柄可変表示装置が装備されるパチンコ機の全体を示す背面図である。
【図４】実施例に係る図柄可変表示装置が配設された遊技盤を示す正面図である。
【図５】実施例に係る図柄可変表示装置を組付け状態で示す概略斜視図である。
【図６】実施例に係る図柄可変表示装置の表示制御装置を収容箱体に組付ける状態で示す概略斜視図である。
【図７】実施例に係る図柄可変表示装置の縦断側面図である。
【図８】実施例に係る収容箱体、図柄表示ユニットおよび金属枠を分解した状態で後側から視た概略斜視図である。
【図９】実施例に係る収容箱体、図柄表示ユニットおよび金属枠を分解した状態で前側から視た概略斜視図である。
【図１０】実施例に係る表示制御装置を分解した状態で後側から視た概略斜視図である。
【図１１】実施例に係る表示制御装置を分解した状態で前側から視た概略斜視図である。
【図１２】実施例に係る表示制御装置を一部切欠いて示す背面図である。
【符号の説明】
２０ 透視表示体
２１  収容箱体
２２  金属枠(金属部材)
２９  前ケース
２９ａ  壁部
２９ｂ  前切欠
３０  後ケース
３０ａ  壁部
３０ｂ  前切欠
３１  駆動基盤
３２  ステッピングモータ(回転駆動手段)
３３  図柄ドラム(図柄表示体)
３４  突部
３７  本体板(板部)
３７ａ  挟持片
３８  上板(板部)
３８ａ  当接片
３９  下板(板部)
３９ａ  当接片
４０  支持片(位置決め片)
４１  第１位置決め片(位置決め片)
４２  第２位置決め片(位置決め片)
４５  基板ケース
４６  第１基板部(制御基板)
４７  第２基板部(制御基板)
Ｕ  図柄表示ユニット
【図１】
0004526630.tif 000002
【図２】
0004526630.tif 000003
【図３】
0004526630.tif 000004
【図４】
0004526630.tif 000005
【図５】
0004526630.tif 000006
【図６】
0004526630.tif 000007
【図７】
0004526630.tif 000008
【図８】
0004526630.tif 000009
【図９】
0004526630.tif 000010
【図１０】
0004526630.tif 000011
【図１１】
0004526630.tif 000012
【図１２】
0004526630.tif 000013